(57)【要約】【課題】弾性を有する容器本体を変形させ、元の形状に復元しようとするときに、容器本体の中に粘性液が液垂れすることなく、引き戻されるようにすること。【解決手段】変形させた場合に元の形状に復元しようとする弾性を有すると共に、粘性液を収容する容器本体に取り付けられる液体容器用キャップにおいて、容器本体の口部に取り付けられる側壁部と、側壁部の先端を塞ぐ天壁部と、天壁部から粘性液を流出可能とするノズル部とを備え、ノズル部は、その貫通方向の注出口から中間部に向かっては徐々に狭まるテーパ状又はラッパ状にすると共に、中間部については直管状又は半径方向内側に向かって膨らみながら面取りした円弧形状にすると共に、中間部から奥入口に向かっては徐々に広がるテーパ状又はラッパ状にし、且つ、注出口の内径Ａと中間部の内径Ｂと奥入口の内径Ｃとの関係を、Ａ及びＣ＞Ｂ、並びにＡ＜Ｃを満たす関係にしてある。【選択図】      図１
0003160981.tif 000002
【実用新案登録請求の範囲】
【請求項１】
変形させた場合に元の形状に復元しようとする弾性を有すると共に、粘性液を収容する容器本体に取り付けられる液体容器用キャップにおいて、
容器本体の口部に取り付けられる側壁部と、側壁部の先端を塞ぐ天壁部と、天壁部から粘性液を流出可能とするノズル部とを備え、
ノズル部は、その貫通方向の注出口から中間部に向かっては徐々に狭まるテーパ状又はラッパ状にすると共に、中間部については直管状又は半径方向内側に膨らむ円弧形状にすると共に、中間部から奥入口に向かっては徐々に広がるテーパ状又はラッパ状にし、且つ、注出口の内径Ａと中間部の内径Ｂと奥入口の内径Ｃとの関係を、Ａ及びＣ＞Ｂ、並びにＡ＜Ｃを満たす関係にしてあることを特徴とする液体容器用キャップ。
【考案の詳細な説明】
【技術分野】
【０００１】
本考案は、天壁部にノズル部を有する液体容器用キャップに関する。より詳しくは、粘度の比較的高い液体、例えば乳液等の化粧水（液状の化粧品）をノズル部から流出可能な液体容器用キャップに関する。
【背景技術】
【０００２】
上述したような化粧水等の粘度の比較的高い液体（以下、「粘性液）という。）は、通常、瓶状の硬質な容器本体に収容されている。しかしながら、俗に言うスクイズボトル（容器本体を絞るように力を加えた後に、力を緩めると復元性により容器本体が元の形状に戻ろうとするもの）に、粘性液を収容して欲しいという、要望がある。
【０００３】
そこで、スクイズボトルに粘性液を収容した上で、スクイズボトルの口部に次のような液体容器用キャップを取り付けることを本考案者らは行った。図３は、その液体容器用キャップを示すものである。容器本体を立てた状態を基準として説明すれば、図３（イ）に示すように、液体容器用キャップ１００は、容器本体２００の口部に取り付ける側壁部１０１の上端を天壁部１０２で塞ぎ、天壁部１０２の一部からノズル部１０３を直管状に突出するものである。
【０００４】
そして、横に傾けた容器本体から粘性液を押し出してみたところ、容器本体が元の形状に戻ろうとするときに液垂れが生じることが分かった。その原因を解明するために、粘性液がどのようにしてノズル部の注出口から出入りするのかを観察してみた。図３（ロ）に示すように、粘性液を出し終わった直後には、粘性液が注出口１０３ａの中に満たされている。ところが、図３（ハ）に示すように、容器本体２００がその復元性によって元の形に戻ろうとするときには、注出口１０３ａの中には粘性液だけが引き込まれるように戻っていくのではなく、空気も一緒に入っていく現象を確認した。つまり、ノズル部１０３の中に空気の通路１０４が形成されるのである。
【０００５】
そこで、本考案者らは、ノズル部の内径を局部的に狭め、空気の通路が形成されないようにするという着想に至った。このようにすれば、容器本体が復元するときにノズル部への空気の侵入が防止でき、粘性液が垂れることなくそのままノズル部の中に戻っていくのではないかと思った。
【０００６】
図４には、上述した着想を具体化する液体容器用キャップの一例が示されている。これは、ノズル部１０３の中にその内径を狭めるオリフィス板部１０５を突出させる構成である。より詳しく言えば、ノズル部１０３の貫通方向の中間部において、その内周面からリング状のオリフィス板部１０５を内向きに且つ全周方向に亘って突出させる構成である。
【０００７】
しかしながら、上述した構成の場合には、オリフィス板部がノズル部内での粘性液の進行を遮るように突出しているので、圧力損失が大きくて、粘性液がオリフィス板部よりも注出口側に残り、液垂れを誘発する可能性が大きいと思われる。
【考案の概要】
【考案が解決しようとする課題】
【０００８】
本考案は上記実情を考慮して創作されたもので、その目的は、ノズル部の内径を局部的に狭めるという着想を具体化する際に、圧力損失を減らすことである。
【課題を解決するための手段】
【０００９】
本考案の液体容器用キャップは、変形させた場合に元の形状に復元しようとする弾性を有すると共に、粘性液を収容する容器本体に取り付けられるものである。そして、容器本体の口部に取り付けられる側壁部と、側壁部の先端を塞ぐ天壁部と、天壁部から粘性液を流出可能とするノズル部とを備えているものである。その上で、ノズル部は、その貫通方向の注出口から中間部に向かっては徐々に狭まるテーパ状又はラッパ状にすると共に、中間部については直管状又は半径方向内側に膨らむ円弧形状にすると共に、中間部から奥入口に向かっては徐々に広がるテーパ状又はラッパ状にし、且つ、注出口の内径Ａと中間部の内径Ｂと奥入口の内径Ｃとの関係を、Ａ及びＣ＞Ｂ、並びにＡ＜Ｃを満たす関係にしてあることを特徴とする。
【００１０】
したがって、変形させた容器が元の形状に復元するときには、ノズル部の貫通方向の形状によって、粘性液は、ノズル部の貫通方向の中間部に向かって円滑に引き込まれ、同様に中間部から奥入口に向かって円滑に引き込まれていく。また、内径の関係によって、注出口においては液切れがよくなり、しかも、中間部から奥入口に向かって粘性液が勢い良く引き込まれる。
【考案の効果】
【００１１】
本考案は、ノズル部の貫通方向の形状と内径の関係によって、粘性液を容器本体の中に円滑に勢い良く引き戻すことができ、それによって圧力損失を減らすことができ、その結果、液垂れを改善することができる。
【図面の簡単な説明】
【００１２】
【図１】本考案の液体容器用キャップを示す一部拡大縦断面図である。
【図２】（イ）（ロ）図は、液体容器用キャップの使用状態の正面図であり、キャップの閉鎖状態、開放状態を順に示している。
【図３】（イ）〜（ハ）図は、順に、従来の液体容器用キャップの縦断面図、粘性液を押し出した直後の状態の縦断面図、液垂れが生じる状態の縦断面図である。
【図４】従来の液体容器用キャップに対する改良例を示す縦断面図である。
【考案を実施するための形態】
【００１３】
図２には、本考案の液体容器用キャップ１が容器本体９の口部（図示省略）にねじ込まれた状態で取り付けられていることが示されている。この容器本体９は、合成樹脂製品であって、背景技術の欄でも説明したように、俗にスクイズボトルと言われるもので、容器本体９を絞るように力を加えた後に、手の力を緩めと樹脂の復元性により容器本体９が元の形状に戻ろうとするものである。
【００１４】
また、図１には、液体容器用キャップ１が一部拡大した状態で示されている。液体容器用キャップ１は、合成樹脂製品であって、基本的には、容器本体９に取り付けるキャップ本体部２と、キャップ本体部２のノズル部２４を開閉する蓋部３と、キャップ本体部２に蓋部３を開閉可能に接続するヒンジ部４とから構成されている。以下、順に詳述する。
【００１５】
キャップ本体部２は、容器本体９の口部に取り付ける側壁部２１と、側壁部２１の外周側を覆う外壁部２２と、側壁部２１の先端（上端）を塞ぐ天壁部２３と、天壁部２３から粘性液を流出可能とするノズル部２４とを、基本的な構成要素として備えている。
【００１６】
天壁部２３は、円形状であって、その一部（具体的には偏心した位置）からノズル部２４が上下方向に連続して突出する状態に設けられている。また、天壁部２３には、その外周縁から内側に向かって順に外壁部２２と側壁部２１と内壁部２５が半径方向に間隔をあけて同心円状に連続して垂下する状態に設けられている。天壁部２３から垂下する長さは、外壁部２２＞側壁部２１＞内壁部２５の順となっている。なお、天壁部２３は、その上面については、外周縁部をそれより内側よりも段差状に低く形成してある。段差状に低い外周縁部の上に、閉鎖した蓋部３の外周板部３２の先端部が載る。
【００１７】
ノズル部２４は、円筒形状であって、次の１）、２）、３）、４）、５）の条件を満たすようにしてある。
１）ノズル部２４の貫通方向の上端である注出口２４ａから中間部２４ｂに向かっては徐々に狭まるテーパ状にすること。
２）中間部２４ｂについては直管状（同一の内径）であること。
３）中間部２４ｂからノズル部２４の貫通方向の下端である奥入口２４ｃに向かっては徐々に広がるテーパ状であること。なお、図１の拡大部分においては、このテーパ状の上端と中間部２４ｂの下端とは、僅かに水平な面によって段付きに連続しているが、この水平な面は極めて短く、無いものとみなせる。
また、注出口２４ａの内径Ａと中間部２４ｂの内径Ｂと奥入口２４ｃの内径Ｃとの関係については、
４）Ａ、Ｃ＞Ｂ。
５）Ａ＜Ｃ。
の２点を満たすことである。
【００１８】
さらに、ノズル部２４は、その外径については、上端部（上端から少し下側まで）を直管状に、上端部から天壁部２３の上面までを徐々に広がるテーパ状に、下端部（天壁部２３の下面から下端まで）を直管状にしてある。
【００１９】
内壁部２５は円筒形状であって、液体容器用キャップ１を容器本体９に取り付けた場合には、容器本体９の口部の上端に接することによって、それ以上、容器本体９がねじ込まれないようにするためのものである。
【００２０】
側壁部２１は、円筒形状であって、その内周面には円周方向の全周に亘って雌ネジが形成されている。
【００２１】
外壁部２２は、円筒形状であって、液体容器用キャップ１を容器本体９に取り付けた場合には、その下端が容器本体９の肩部９ａの上方近傍に位置するようになる。また、外壁部２２の上端部にはヒンジ部４が連続して設けられている。より詳しく言えば、ヒンジ部４は、円形状である天壁部２３の中心を基準にしてノズル部２４とは反対側に設けられている。図示の例では、ヒンジ部４が外壁部２２の円周方向に間隔をあけて複数設けられている。
【００２２】
ヒンジ部４は、図面上、ハッチング入りのもの４１と、入っていないもの４２がある。いずれも屈曲可能な薄肉部を有しており、薄肉部によって蓋部３とキャップ本体部２を連続させている。
【００２３】
蓋部３は、図１の水平に開いた状態を基準にして説明すれば、円形状の覆板部３１と、覆板部３１の外周側から上方に連続して突出する外周板部３２とから基本的に構成される。覆板部３１の上面側であってノズル部２４に対応する位置に円筒状の栓部３３を上方に突出している。栓部３３は、ノズル部２４から粘性液が漏れ出ないようにシールするものである。そのために、栓部３３は、ノズル部２４の内側に、より詳しく言えば中間部２４ｂよりも奥まで嵌り込む。また、外周板部３２には操作部３４が連続して設けられている。より詳しく言えば、操作部３４は、ヒンジ部４とは反対側であって、半径方向の外側に突出する状態に設けられている。
【００２４】
上述した液体容器用キャップ１を用いることによって、以下の要領で、液垂れが改善される。
１）容器本体９を横に傾けて手で押し潰すように力を加える。
２）ノズル部２４から粘性液が連続して押し出される。
３）手の力を緩める。
４）容器本体９がその弾性によって復元する。それに伴って容器本体９内が負圧になり、粘性液にはノズル部２４の中に引き戻される方向に力が加わる。
５）ノズル部２４は、その中間部の内径Ｂが絞られているので、空気が入り込むことなく、粘性液のみが容器本体９の中に引き戻される。このときに、ノズル部２４の内周面は、いわば中間部を中心にして注出口２４ａ及び奥入口２４ｃに向かってテーパ状に広がっているので、粘性液が円滑に引き戻される。しかも、注出口２４ａの内径Ａが奥入口２４ｃの内径Ｃよりも小さいので、注出口２４ａにおいては液切れがよくなり、逆に奥入口２４ｃの内径Ｃが注出口の内径Ａよりも大きいことから、粘性液が勢い良く引き込まれる。これらの相乗効果によって、液垂れが生じない。
【００２５】
なお、本考案は上記した例に限定されるものではない。例えば、ノズル部２４は、注出口２４ａから中間部２４ｂに向かっては徐々に狭まるラッパ状（半径方向内側に向かって円弧状に膨らむ形状）であってもよい。中間部２４ｂから奥入口２４ｃに向かっても、同様にラッパ状であっても良い。また、中間部２４ｂにおいては、半径方向内側に膨らむ円弧状（丸く面取りした形状）にしても良い。
【００２６】
その他に、キャップ本体部２については、天壁部２３、及び天壁部２３の外周縁から垂下する外壁部２２の形状を問わないものとし、例えば何れも角形としても良い。
【符号の説明】
【００２７】
１液体容器用キャップ
２キャップ本体部
３蓋部
４ヒンジ部
９容器本体
９ａ肩部
２１側壁部
２２外壁部
２３天壁部
２４ノズル部
２４ａ注出口
２４ｂ中間部
２４ｃ奥入口
Ａ注出口の内径
Ｂ中間部の内径
Ｃ奥入口の内径
２５内壁部
３１覆板部
３２外周板部
３３栓部
３４操作部
４１ハッチング入りのもの
４２入っていないもの
１００液体容器用キャップ
１０１側壁部
１０２天壁部
１０３ノズル部
１０３ａ注出口
１０４通路
１０５オリフィス板部
２００容器本体
【図１】
0003160981.tif 000003
【図２】
0003160981.tif 000004
【図３】
0003160981.tif 000005
【図４】
0003160981.tif 000006